(57)【要約】      （修正有）【課題】積み重ねたときに荷崩れを生じさせない、フレームなし太陽光発電パネル用保護モジュールを提供する。【解決手段】フレームなし太陽光発電パネルの角部の２辺を覆う直交する壁部材２と、壁部材２の内面に２辺を接して一体成型された太陽光発電パネルの角部を載のせる棚部材３と、壁部材２が交叉する角部の上下に形成された第１のフック部４および第１のフック部４と係合する係合凹部５と、壁部材２の角部から離れた壁部材２の端部の上下に形成された第２のフック部６および第２のフック部６と係合する角孔７１をあけた弾性変形する舌片７とを具備する保護モジュールを、フレームなし太陽光発電パネルの各角部に嵌め込んでパネルを保護するとともに、上下の保護モジュールを係合させてフレームなし太陽光発電パネルを積み重ねて保管または運搬する。【選択図】図１
2012229021.tif 000002
【特許請求の範囲】
【請求項１】
フレームなし太陽光発電パネルの各角部に嵌め込んで太陽光発電パネルを保護して積み重ねる保護モジュールであって、
太陽光発電パネルの角部の２辺を覆う直交する２辺の壁部材と、
該壁部材の内面に２辺を接して一体成型された太陽光発電パネルの角部を載せる棚部材と、
上記２辺の壁部材が交叉する角部の上下に形成された第１のフック部および該第１のフック部と係合する第１の係合凹部と、
上記２辺の壁部材の角部から離れた２つの壁部材の端部の上下に形成された第２のフック部および該第２のフック部と係合する第２の係合凹部を有する弾性変形する舌片と、
を具備することを特徴とするフレームなし太陽光発電パネル用保護モジュール。
【請求項２】
２辺の壁部材の交差部に形成される稜線が、太陽光発電パネに向かって僅かな角度θだけ傾くように、保護モジュールの頂面および／または底面を内向きの対角線方向に上記角度θだけ傾けたことを特徴とする請求項１に記載のフレームなし太陽光発電パネル用保護モジュール。
【発明の詳細な説明】
【技術分野】
【０００１】
この発明は、製造されたフレームなし太陽光発電パネルを積み重ねて保管・運搬する際に、積み重ねられた上下に隣接する太陽光発電パネルの間に嵌め込んで太陽光発電パネルを保護する保護モジュールに関する。
【背景技術】
【０００２】
太陽光エネルギーを電気に変換する太陽光発電モジュールは、ガラス板の裏面にシリコン膜からなる光起電力層および導電体層を形成し、その表面に合成樹脂の保護層を形成したものであり、この太陽光発電モジュールの周囲をアルミニウムまたはアルミニウム合金製の引抜材を加工したフレームにより囲んで太陽光発電パネルを構成していた。
【０００３】
太陽光発電パネルのコストを低減するために、アルミニウム製のフレームを使用しないフレームなし太陽光発電パネルとすることが実施されている。
【０００４】
図７の平面図（ａ）および正面図（ｂ）に示すように、フレームなし太陽光発電パネル８は、ガラス−プラスチック・モジュールまたはガラス−ガラス・モジュール81と、その下面に電気回路を入れて電線を引き出すために設けられた制御箱82とにより構成される。
【０００５】
このようなフレームなし太陽光発電パネル８においては、保護モジュール１を各角部に嵌め込もうとしても、上下両面が平坦で掴みどころがないから外れ易い。
【０００６】
下記特許文献１の図６および図７に開示された従来の保護モジュールは、小径部および大径部よりなる段付きの円筒と、この段付きの円筒の軸線と直交する方向に設けられた２辺を壁で囲んだ棚部とを有する成型品であって、段付きの円筒を上下に挿し込んで複数の棚部付きの柱を構成するものである。そして、複数の太陽光発電パネルの四つの角部をこの柱の各棚部に載せて保持するものである。
【０００７】
運送中に保護モジュールが外れる事故を防ぐために、下記特許文献２に開示されている保護モジュールは、直交する２辺の壁部材と、この２辺の壁部材に保持された棚部材とを備え、直交する２辺の壁部材の隅部に貫通孔をあけたもので、太陽光発電パネルを載せて積み重ねられた保護モジュールの貫通孔にボルトを挿通してパレットとともに上下をナットで締め付けて一体化するもである。
【先行技術文献】
【特許文献】
【０００８】
【特許文献１】特開２００６−３２９７８号公報
【特許文献２】特開２００９−２４６１７号公報
【発明の概要】
【発明が解決しようとする課題】
【０００９】
上記特許文献１に開示された保護モジュールを用いて複数の太陽光発電パネルを梱包して運送する際に、激しい動的荷重がかかって保護モジュールを構成する柱の継ぎ目が外れると、荷崩れして太陽光発電パネルを破損するという問題があった。
【００１０】
上記特許文献２に開示された保護モジュールにおいては、積み重ねた状態で複数の保護モジュールを一体化するために、ボルトとナットを使用しているので、荷造りする際にも荷解きする際にも、直立する４本のボルトが邪魔になり、ボルトを誤って太陽光発電パネルの上に倒すとパネルを破損することがあった。
【００１１】
そこで、この発明のフレームなし太陽光発電パネル用保護モジュールは、このような課題を解決するために考えらえたもので、太陽光発電パネルとともに保護モジュールを積み重ねたとき、上下に隣接する保護モジュールを連結して一体化することにより、荷崩れを防止するものである。
【課題を解決するための手段】
【００１２】
この発明のフレームなし太陽光発電パネル用保護モジュールは、太陽光発電パネルの各角部に嵌め込んで太陽光発電パネルを保護して積み重ねる保護モジュールであって、太陽光発電パネルの角部の２辺を覆う直交する２辺の壁部材と、これらの壁部材の内面に２辺を接して一体成型された太陽光発電パネルを載せる棚部材と、上記２辺の壁部材が交叉する角部の上下に形成された第１のフック部およびこの第１のフック部と係合する第１の係合凹部と、上記２辺の壁部材の角部から離れた２つの壁部材の端部の上下に形成された第２のフック部およびこの第２のフック部と係合する第２の係合凹部を有する弾性変形する舌片とを具備するものである。
【００１３】
この発明のフレームなし太陽光発電パネル用保護モジュールにおいて、２辺の壁部材の交差部に形成される稜線が、太陽光発電パネルに向かって僅かな角度θだけ傾くように、保護モジュールの頂面および／または底面を内向きの対角線方向に上記角度θだけ傾けたものである。
【発明の効果】
【００１４】
この発明の保護モジュールによると、完成したフレームなし太陽光発電パネルの各角部に嵌め込んで積み重ねたとき、太陽光発電パネルを保護するとともに、上下の保護モジュールを連結して一体化できるので、運送中に上下の保護モジュールの外れに起因する荷崩れの発生を防止することができる。また、簡単な操作により、上下の保護モジュールの連結および連結を解いて分離することができる。
【図面の簡単な説明】
【００１５】
【図１】この発明の保護モジュールの第１の実施形態を示す平面図（ａ）、正面図（ｂ）および縦断面図（ｃ）、
【図２】図１に示す保護モジュールの底面図、
【図３】この発明の保護モジュールを用いて太陽光発電パネルを積み重ねる手順を説明する説明図、
【図４】この発明の保護モジュールを用いて太陽光発電パネルを重ねた状態を示す縦断面図、
【図５】積み重ねた太陽光発電パネルから保護モジュールを取り外す手順を説明する説明図、
【図６】この発明の保護モジュールの第２の実施形態を説明するための説明図、
【図７】フレームなし太陽光発電パネルの平面図（ａ）、正面図（ｂ）および太陽光発電パネルの各角部に保護モジュールを嵌め込んだ状態を示す平面図（ｃ）である。
【発明を実施するための形態】
【００１６】
（第１の実施形態）
この発明の太陽光発電パネル用保護モジュール１は、図１の平面図（ａ）、正面図（ｂ）および平面図（ａ）における線Ｘ−Ｘに沿って切断した縦断面図（ｃ）、図２の底面図に示すように、垂直で直交する２辺の壁部材２と、これら２辺の壁部材２の内面に２辺を接してフレームなし太陽光発電パネル８の角部を載せて支持する棚部材３とにより構成されおり、合成樹脂を射出成型したものである。
【００１７】
２辺の壁部材２の底面から棚部材３の上面までの高さＨは、太陽光発電モジュール81の下面に取り付けられた制御箱82の厚みｈよりも高く設定されている（図３参照）。
【００１８】
２辺の壁部材２は、材料の節約および壁部材の強度を高めるために、内壁21、外壁22および仕切り板23と、これら内壁21、外壁22および仕切り板23で囲まれた区画24、25、26とにより構成される。
【００１９】
これらの区画のうち、区画25、26は上下に貫通してもよく、中間部に上下を仕切る板部材を設けてもよいのである。端部の区画24の底部は、底板63で閉じられている。
【００２０】
直交する２辺の外壁22の頂面の外側には、突条221が形成されており、２辺の外壁22の底面には、突条221と嵌合する段部222が形成されている。
【００２１】
この発明の保護モジュール１は、複数枚の太陽光発電パネル８の四隅に嵌め込んで積み重ねたとき、全ての保護モジュール１を縦方向に連結して一体化したり、一つづつ外して分離できる連結手段を備えている。
【００２２】
この連結手段は、保護モジュール１の下面の角部から下向きに突出した第１のフック部４と、両端部の２つの区画24の底部63から下向きに突出した２つの第２のフック部６とを備えており、両フック４、６の鈎部41、61は、反対向きに形成されている。
【００２３】
２辺の壁部材２と棚部材３の上面との３辺が交叉する隅部に形成されて、第１のフック部４と係合する係合凹部５と、両端部の区画24の底部63から上向きに立ち上がり、第２のフック部６の鈎部61と係合する角孔71を開けた弾性を有する舌片７とを備えている。
【００２４】
第１のフック部４と係合する係合凹部５は、図１に示すように、２辺の外壁22が交叉する交叉部から対角線方向に開口した角孔51と、この角孔51の上縁から２辺の外壁22の頂面の交叉部との間に形成された斜面52とにより構成される。
【００２５】
第２のフック部６と係合する角孔71をあけた舌片７は、区画24の底部63の端部から上向きに立ち上がっており、肉厚を比較的薄くしたもので、対角線方向に弾性変形して曲がり得るように構成されている。
【００２６】
次に、このように構成された保護モジュール１を用いて太陽光発電パネルを積み重ねる手順を図３に基づいて説明する。
【００２７】
最下段に当たる保護モジュール１は、第１のフック部４および第２のフック部６を予め切り取ったものを４つ用意し、これを太陽光発電パネル８の４隅に合わせてパッレトの上に固定する。
【００２８】
既に太陽光発電パネル８を載置した下段の保護モジュール１の上に保護モジュール１を嵌め込む際には、上段の保護モジュール１を下段の保護モジュール１と位置合わせして下向きに押しつけると、第１のフック部４の鈎部41が、係合凹部５の斜面52を滑りながら降下して、角孔51と係合する。また、第２のフック部６の鈎部61が、舌片７を外向きに押し拡げながら降下して鈎部61が舌片７の角孔71と係合する。
【００２９】
このように、上下２つの保護モジュール１の突条221および段部222が嵌合した状態で連結され、最後に連結した保護モジュール１の棚部材３の上に太陽光発電パネル８の角部を載せる。このような手順を繰り返し行って、図４の縦断面図に示すように、所望枚数の太陽光発電パネル８を積み重ねたのち、梱包するのである。
【００３０】
次に、図５に基づいて、連結状態の保護モジュール１の連結を解いて分離する手順を説明する。
【００３１】
梱包を解いて、最上段に当たる保護モジュール１に載置されている太陽光発電パネル８を取り去る。
【００３２】
そして、太陽光発電パネル８を取り去った保護モジュール１を矢印で示す対角線方向に押すと、第２のフック部６により舌片７が押されて舌片７は弾性変形して曲がる。
【００３３】
この舌片７の弾性変形により、保護モジュール１は対角線方向に移動し、第１のフック部４も移動して、鈎部41が係合していた係合凹部５の角孔51から抜け出し、同時に上下２つの保護モジュール１の突条221と段部222との嵌合も外れるので、保護モジュール１の角部を上向きに上げることにより、細線で示すように、上段の保護モジュール１は、下段の保護モジュール１との連結を解いて取り外すことができる。
【００３４】
上から順次に太陽光発電パネル８を取り去るごとに、同様の手順により保護モジュール１の連結を解いて取り外すことができる。
【００３５】
（第２の実施形態）
以上で説明した第１の実施形態においては、太陽光発電パネル８の各角部に保護モジュール１を嵌め込んで積み重ねたとき、複数段の保護モジュール１は連結されて４本の自立した柱を形成する。
【００３６】
しかし、各柱には、太陽光発電パネル８の中心方向に押す力が作用していないので、積み重ねられた複数段の太陽光発電パネル８に横方向の力がかかると横揺れする虞がある。
【００３７】
そこで、この第２の実施形態においては、図６に示すように、２辺の壁部材が交差して形成される稜線20が、太陽光発電パネル８に向かって僅かな角度θだけ傾くように、保護モジュール１の頂面および／または底面が平行ではなく、内向きの対角線方向に狭まるように設定しておく。
【００３８】
太陽光発電パネル８を載せないで、保護モジュール１だけを積み重ねると、保護モジュール１の頂面を角度θだけ傾けた場合には、図６の側面図（ａ）に示すように、二段目から保護モジュール１の稜線20が対角線方向に傾き、保護モジュール１の底面を角度θだけ傾けた場合には、図６の側面図（ｂ）に示すように、一段目から保護モジュール１の稜線20が対角線方向に傾く。
【００３９】
しかし、太陽光発電パネル８を載せて積み重ねると、保護モジュール１が柱を形成したとき、太陽光発電パネル８が存在するので内向きに傾くことはできない。そのために、図６の側面図（ｃ）に角度θを誇張して示すように、保護モジュール１の角部に加重が集中するから、この角度θは、必要な範囲で小さくすることが望ましい。
【００４０】
太陽光発電パネル８を載せて保護モジュール１を積み重ねると、図６の側面図（ｃ）に示すように、保護モジュール１は傾くことなく、太陽光発電パネル８の角部を、平面図（ｄ）に矢印で示すように内側の対角線方向に向かって押すように作用する。
【００４１】
このように、太陽光発電パネル８の角部にある保護モジュール１によって形成された各柱が、内向きに押し合うのでガタツキが有っても、ガタツキを全て内向きの対角線方向へ集中させることになって積層体は安定する。
【００４２】
以上で説明した実施形態においては、第１のフック部４および第２のフック部６と、係合凹部５および舌片７の角孔71を例示したが、角孔71に限ることなく、第２のフック部６と係合できるもので他の形状であってもよいのである。
【符号の説明】
【００４３】
１  保護モジュール
２  壁部材
21  内壁
22  外壁
221  突条
222  段部
３  棚部材
４  第１のフック部
41  鈎部
５  係合凹部
51  角孔
52  斜面
６  第２のフック部
61  鈎部
７  舌片
71  角孔
８  太陽光発電パネル
81  太陽光発電モジュール
82  制御箱
【図１】
2012229021.tif 000003
【図２】
2012229021.tif 000004
【図３】
2012229021.tif 000005
【図４】
2012229021.tif 000006
【図５】
2012229021.tif 000007
【図６】
2012229021.tif 000008
【図７】
2012229021.tif 000009